【手続補正書】
【提出日】平成20年4月4日(2008.4.4)
【手続補正１】
【補正対象書類名】特許請求の範囲
【補正対象項目名】全文
【補正方法】変更
【補正の内容】
【特許請求の範囲】
【請求項１】
デジタルデータインタフェース通信システムのハイバネーション状態に関する第１の論理閾値と第2の論理閾値を再定義する方法であって、この方法は、
ホストからクライアントにリンクシャットダウンパケットを送信し、なお、第１の論理レベルと第2の論理レベルは少なくとも１つのデータ受信機の第１の論理閾値を決定し、
少なくとも１つのデータドライバをディスエーブルしそしてその出力をホストにより高インピーダンス状態に置き、なお、第３の論理レベルと第４の論理レベルは少なくとも１つのハイバネーション受信機の第２の論理閾値を決定し、そして第４の論理レベルは高インピーダンス状態においてディスエーブルされた少なくとも１つのデータドライバにより生成され、
少なくとも１つのハイバネーション受信機にウエークアップパルスを送信し、なお、ウエークアップパルスは第３の論理レベルを出力することを含み、そして
少なくとも１つのハイバネーション受信機によりウエークアップパルスを検出するステップを含む方法。
【請求項２】
ディスエーブルするステップは少なくとも１つの高速差動データパケット受信機をディスエーブルすることをさらに含む請求項１記載の方法。
【請求項３】
ウエークアップパルスを送信するステップはホストがウエークアップパルスを送信することを含む請求項１記載の方法。
【請求項４】
ウエークアップパルスを送信するステップはクライアントがウエークアップパルスを送信することを含む請求項１記載の方法。
【請求項５】
第１の論理レベルは第３の論理レベルに等しい請求項１記載の方法。
【請求項６】
デジタルデータインタフェース通信システムのハイバネーション状態に関する第１の論理閾値と第2の論理閾値を再定義するシステムであって、このシステムは、
ホストからクライアントにリンクシャットダウンパケットを送信する手段と、なお、第１の論理レベルと第2の論理レベルが少なくとも１つのデータ受信機の第１の論理閾値を決定し、
少なくとも１つのデータドライバをディスエーブルし、そしてその出力をホストにより高インピーダンス状態に置く手段と、なお、第３の論理レベルと第４の論理レベルは少なくとも１つのハイバネーション受信機の第２の論理閾値を決定し、そして第４の論理レベルは高インピーダンス状態においてディスエーブルされた少なくとも１つのデータドライバにより生成され、
少なくとも１つのハイバネーション受信機にウエークアップパルスを送信する手段と、なお、このウエークアップパルスは第３の論理レベルを出力することを含み、そして
少なくとも１つのハイバネーション受信機によりウエークアップパルスを検出する手段と
を含むシステム。
【請求項７】
ディスエーブルする手段は少なくとも１つの高速差動データパケット受信機をディスエーブルする手段をさらに含む請求項６記載のシステム。
【請求項８】
ウエークアップパルスを送信する手段はウエークアップパルスを送信するホストを含む請求項６記載のシステム。
【請求項９】
ウエークアップパルスを送信する手段はウエークアップパルスを送信するクライアントを含む請求項６記載のシステム。
【請求項１０】
第１の論理レベルは第３の論理レベルに等しい請求項６記載のシステム。
【請求項１１】
コンピュータ読み取り可能媒体を含むコンピュータプログラム製品であって、
この媒体はデジタルデータインタフェース通信システムのハイバネーション状態に関する第１の論理閾値と第2の論理閾値が再定義されるようにするコードを含み、このコンピュータ製品は、
ホストからクライアントにリンクシャットダウンパケットが送信されるようにするコードと、なお、第１の論理レベルと第2の論理レベルが少なくとも１つのデータ受信機の第１の論理閾値を決定し、
少なくとも１つのデータドライバがディスエーブルされるようにし、そしてその出力がホストにより高インピーダンス状態に置かれるようにするコードと、なお、第３の論理レベルと第４の論理レベルが少なくとも１つのハイバネーション受信機の第２の論理閾値を決定し、そして第４の論理レベルは高インピーダンス状態においてディスエーブルされた少なくとも１つのデータドライバにより生成され、
少なくとも１つのハイバネーション受信機にウエークアップパルスが送信されるようにするコードと、なお、ウエークアップパルスは第３の論理レベル出力を含み、そして
少なくとも１つのハイバネーション受信機によりウエークアップパルスが検出されるようにするコードと
を含むコンピュータプログラム製品。
【請求項１２】
少なくとも１つのデータドライバがディスエーブルされるようにするコードは、少なくとも１つの高速差動データパケット受信機がディスエーブルされるようにするコードをさらに含む請求項１１記載のコンピュータプログラム製品。
【請求項１３】
ウエークアップパルスを生じさせるコードはホストがウエークアップパルスを送信するようにするコードを含む請求項１１記載のコンピュータプログラム製品。
【請求項１４】
ウエークアップパルスを生じさせるコードはクライアントがウエークアップパルスを送信するようにするコードを含む請求項１１記載のコンピュータプログラム製品。
【請求項１５】
第１の論理レベルは第３の論理レベルに等しい請求項１１記載のコンピュータプログラム製品。
【請求項１６】
モバイルディスプレイデジタルインタフェース（ＭＤＤＩ）通信システムにおいて、逆方向音声データストリームに関する無効サンプルデータレートの選択をホストに通信するクライアントに関する方法であって、
逆方向カプセル化パケットをホストからクライアントに送信し、
エラーレポートパケットをクライアントからホストに送信し、エラーレポートパケットはクライアントが無効サンプルデータレートをサポートしないとのインジケータを含み、
音声ストリームサポートデータに関する要求を含むクライアント機能パケットをホストにより要求し、そして
クライアント機能パケットをホストに送信するステップを含み、なおクライアント機能パケットは音声ストリームサポートデータを含む、
方法。
【請求項１７】
音声ストリームサポートデータはクライアントが逆方向音声データストリームをサポートしないとのインジケータを含む請求項１６記載の方法。
【請求項１８】
音声ストリームサポートデータはクライアントは少なくとも１つのデータレートをサポートするとのインジケータを含む請求項１６記載の方法。
【請求項１９】
ホストが少なくとも１つのデータレートからオペレーティングデータレートを選択するステップをさらに含む請求項１８記載の方法。
【請求項２０】
モバイルディスプレイデジタルインタフェース（ＭＤＤＩ）通信システムにおいて、逆方向音声データストリームに関する無効サンプルデータレートの選択をホストに通信するクライアントに関するシステムであって、
逆方向カプセル化パケットをホストからクライアントに送信する手段、
エラーレポートパケットをクライアントからホストに送信する手段、なおエラーレポートパケットはクライアントが無効サンプルデータレートをサポートしないインジケータを含み、
音声ストリームサポートデータに関する要求を含むクライアント機能パケットをホストにより要求する手段、そして
クライアント機能パケットをホストに送信する手段とを含み、なおクライアント機能パケットは音声ストリームサポートデータを含む、
システム。
【請求項２１】
音声ストリームサポートデータはクライアントが逆方向音声データストリームをサポートしないとのインジケータを含む請求項２０記載のシステム。
【請求項２２】
音声ストリームサポートデータはクライアントは少なくとも１つのデータレートをサポートするとのインジケータを含む請求項２０記載のシステム。
【請求項２３】
ホストにより少なくとも１つのデータレートからオペレーティングデータレートを選択する手段をさらに含む請求項２２記載のシステム。
【請求項２４】
モバイルディスプレイデジタルインタフェース（ＭＤＤＩ）通信システムにおいて、クライアントに逆方向音声データストリームに関する無効サンプルデータレートの選択をホストと通信させるようにするコードを含むコンピュータ可読媒体を含むコンピュータプログラム製品であって、
逆方向カプセル化パケットがホストからクライアントに送信されるようにするコード、
エラーレポートパケットがクライアントからホストに送信されるようにするコード、なおエラーレポートパケットはクライアントが無効サンプルデータレートをサポートしないとのインジケータを含み、
音声ストリームサポートデータに関する要求を含むクライアント機能パケットがホストにより要求されるようにするコード、そして
クライアント機能パケットがホストに送信されるようにするコードとを含み、なおクライアント機能パケットは音声ストリームサポートデータを含む、
コンピュータ製品。
【請求項２５】
音声ストリームサポートデータはクライアントが逆方向音声データストリームをサポートしないとのインジケータを含む請求項２４記載のコンピュータプログラム製品。
【請求項２６】
音声ストリームサポートデータはクライアントは少なくとも１つのデータレートをサポートするとのインジケータを含む請求項２４記載のコンピュータプログラム製品。
【請求項２７】
ホストに少なくとも１つのデータレートからオペレーティングデータレートを選択させるようにするコードをさらに含む請求項２６記載のコンピュータプログラム製品。